【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
Ｍｏｖｉｎｇ Ｐｉｃｔｕｒｅｓ Ｅｘｐｅｒｔｓ Ｇｒｏｕｐ ＨＴＴＰ上の動的適応ストリーミング（ＭＰＥＧ ＤＡＳＨ）を用いてメディアデータのストリーミングについての情報を受信する方法であって、
クライアントデバイスによって、メディアコンテンツのメディアプレゼンテーション記述（ＭＰＤ）を受信することと、ここにおいて、前記ＭＰＤは、前記クライアントデバイスがソースデバイスからの前記メディアコンテンツのデータを取り出すことができる掛け時計時刻を示すデータを含む、および、ここにおいて、前記データは、前記クライアントデバイスが前記掛け時計時刻を前記クライアントデバイスのクロックと同期させるべきである同期方法を示す、
前記ＭＰＤによって示される前記方法を使用して、前記クライアントデバイスの前記クロックを前記掛け時計時刻と同期させることと、
前記同期したクロックを使用して、前記ソースデバイスからの前記メディアコンテンツのデータを要求することと
を備える方法。
【請求項２】
前記ＭＰＤによって示される前記同期方法が、ネットワークタイムプロトコル（ＮＴＰ）を備え、前記ＭＰＤが、１つまたは複数のＮＴＰサーバのネットワークアドレスを示すデータを含み、前記クロックを同期させることが、前記ＮＴＰサーバのうちの少なくとも１つからの時刻を要求することを備える、請求項１に記載の方法。
【請求項３】
前記ＭＰＤによって示される前記同期方法が、ＨＴＴＰタイムプロトコル（ＨＴＰ）を備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、請求項１に記載の方法。
【請求項４】
前記ＭＰＤによって示される前記同期方法が、ＨＴＴＰを備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、請求項１に記載の方法。
【請求項５】
前記クロックを同期させることが、ＨＴＴＰ  ＨＥＡＤ要求を前記ＨＴＴＰサーバのうちの少なくとも１つに送ることと、前記ＨＴＴＰ  ＨＥＡＤ要求に応答して、前記ＨＴＴＰサーバのうちの少なくとも１つからのＨＴＴＰヘッダ内の日付情報を受信することとを備える、請求項４に記載の方法。
【請求項６】
前記クロックを同期させることが、ＨＴＴＰ  ＧＥＴ要求を前記ＨＴＴＰサーバのうちの少なくとも１つに送ることと、前記ＨＴＴＰ  ＧＥＴ要求に応答して、ネットワークタイムプロトコル（ＮＴＰ）および拡張マークアップ言語（ＸＭＬ）および国際標準化機構（ＩＳＯ）時刻コードのうちの１つに従ってフォーマットされた、よくフォーマットされたタイムスタンプ値を受信することとを備える、請求項４に記載の方法。
【請求項７】
前記ＭＰＤが、前記クライアントデバイスが第１の時刻に前記メディアコンテンツのセグメントを取り出すべきであり、別個のクライアントデバイスが前記第１の時刻とは異なる第２の時刻に前記セグメントを取り出すべきであることを示すデータを含み、データを要求することが、前記第１の時刻にまたは前記第１の時刻の後に前記セグメントを要求することを備える、請求項１に記載の方法。
【請求項８】
Ｍｏｖｉｎｇ Ｐｉｃｔｕｒｅｓ Ｅｘｐｅｒｔｓ Ｇｒｏｕｐ ＨＴＴＰ上の動的適応ストリーミング（ＭＰＥＧ ＤＡＳＨ）を用いてメディアデータのストリーミングについての情報を受信するためのクライアントデバイスであって、
クロックと、
メディアコンテンツのメディアプレゼンテーション記述（ＭＰＤ）を受信することと、ここにおいて、前記ＭＰＤは、前記クライアントデバイスがソースデバイスからの前記メディアコンテンツのデータを取り出すことができる掛け時計時刻を示すデータを含む、および、ここにおいて、前記データは、前記クライアントデバイスが前記掛け時計時刻を前記クロックと同期させるべきである同期方法を示す、前記ＭＰＤによって示される前記方法を使用して、前記クロックを前記掛け時計時刻と同期させることと、前記同期したクロックを使用して、前記ソースデバイスからの前記メディアコンテンツのデータを要求することとを行うように構成された１つまたは複数のプロセッサと
を備えるクライアントデバイス。
【請求項９】
実行されると、クライアントデバイスのプロセッサに、請求項１乃至７のうちのいずれか１項に記載の方法のステップを実行させる命令を記憶したコンピュータ可読記憶媒体。
【請求項１０】
Ｍｏｖｉｎｇ Ｐｉｃｔｕｒｅｓ Ｅｘｐｅｒｔｓ Ｇｒｏｕｐ ＨＴＴＰ上の動的適応ストリーミング（ＭＰＥＧ ＤＡＳＨ）を用いてメディアデータのストリーミングのための情報をシグナリングする方法であって、
メディアコンテンツのメディアプレゼンテーション記述（ＭＰＤ）のためのデータを生成することと、ここにおいて、前記ＭＰＤは、クライアントデバイスがソースデバイスからの前記メディアコンテンツのデータを取り出すことができる掛け時計時刻を示すデータを含む、および、ここにおいて、前記生成されたデータは、前記クライアントデバイスが前記掛け時計時刻を前記クライアントデバイスのクロックと同期させるべきである同期方法を示す、
前記ＭＰＤを出力することと
を備える方法。
【請求項１１】
前記ＭＰＤによって示されるセグメントの掛け時計時刻に従って、前記メディアコンテンツの前記セグメントについての要求を受信することと、
前記要求に応答して、前記セグメントを前記クライアントデバイスに送ることと
をさらに備える、請求項１０に記載の方法。
【請求項１２】
前記データを生成することが、前記同期方法がネットワークタイムプロトコル（ＮＴＰ）を備えることを示すために、および、前記クライアントデバイスの前記クロックを前記掛け時計時刻と同期させるためのデータを要求するための１つまたは複数のＮＴＰサーバのネットワークアドレスを示すために、前記データを生成することを備える、請求項１０に記載の方法。
【請求項１３】
前記データを生成することが、前記同期方法がＨＴＴＰタイミングプロトコル（ＨＴＰ）を備えることを示すために、および、前記クライアントデバイスの前記クロックを前記掛け時計時刻と同期させるためのデータを要求するための１つまたは複数のＨＴＴＰサーバのネットワークアドレスを示すために、前記データを生成することを備える、または、
前記データを生成することが、前記同期方法がＨＴＴＰを備えることを示すために、および、前記クライアントデバイスの前記クロックを前記掛け時計時刻と同期させるためのデータを要求するための１つまたは複数のＨＴＴＰサーバのネットワークアドレスを示すために前記データを生成することを備える、請求項１０に記載の方法。
【請求項１４】
前記クライアントデバイスが第１のクライアントデバイスを備え、前記ＭＰＤのための前記データを生成することが、前記第１のクライアントデバイスが第１の時刻に前記メディアコンテンツのセグメントを取り出すべきであり、第２のクライアントデバイスが前記第１の時刻とは異なる第２の時刻に前記セグメントを取り出すべきであることを前記データが示すような前記ＭＰＤのための前記データを生成することを備え、前記ＭＰＤを送ることが、前記ＭＰＤを前記第１のクライアントデバイスおよび前記第２のクライアントデバイスに送ることを備える、請求項１０に記載の方法。
【請求項１５】
第１の時刻にまたは前記第１の時刻の後に、第１のクライアントデバイスからの前記セグメントについての第１の要求を受信することと、
前記第１の要求に応答して、前記セグメントについてのデータを前記第１のクライアントデバイスに送ることと、
第２の時刻にまたは前記第２の時刻の後に、第２のクライアントデバイスからの前記セグメントについての第２の要求を受信することと、
前記第２の要求に応答して、前記セグメントについての前記データを前記第２のクライアントデバイスに送ることと
をさらに備え、好ましくは、
前記データを生成することが、前記第１の時刻および前記第２の時刻についての特定の値を生成することを備える、または、
前記第１のクライアントデバイスの第１の優先順位と、前記第２のクライアントデバイスの第２の優先順位とを決定することをさらに備え、前記データを生成することが、前記第１の優先順位および前記第２の優先順位に基づいて、前記データを生成することを備える、請求項１１に記載の方法。
【手続補正２】
【補正対象書類名】明細書
【補正対象項目名】０１７８
【補正方法】変更
【補正の内容】
【０１７８】
[0134]  様々な例が説明されてきた。これらおよび他の例は、以下の特許請求の範囲の範疇である。
以下に、出願当初の特許請求の範囲に記載された発明を付記する。
［Ｃ１］
メディアデータのストリーミングについての情報を受信する方法であって、
クライアントデバイスによって、メディアコンテンツのメディアプレゼンテーション記述（ＭＰＤ）を受信することと、ここにおいて、前記ＭＰＤは、前記クライアントデバイスがソースデバイスからの前記メディアコンテンツのデータを取り出すことができる掛け時計時刻を示すデータを含む、および、ここにおいて、前記データは、前記クライアントデバイスが前記掛け時計時刻を前記クライアントデバイスのクロックと同期させるべきである同期方法を示す、
前記ＭＰＤによって示される前記方法を使用して、前記クライアントデバイスの前記クロックを前記掛け時計時刻と同期させることと、
前記同期したクロックを使用して、前記ソースデバイスからの前記メディアコンテンツのデータを要求することとを備える方法。
［Ｃ２］
前記ＭＰＤによって示される前記同期方法が、ネットワークタイムプロトコル（ＮＴＰ）を備え、前記ＭＰＤが、１つまたは複数のＮＴＰサーバのネットワークアドレスを示すデータを含み、前記クロックを同期させることが、前記ＮＴＰサーバのうちの少なくとも１つからの時刻を要求することを備える、Ｃ１に記載の方法。
［Ｃ３］
前記ＭＰＤによって示される前記同期方法が、ＨＴＴＰタイムプロトコル（ＨＴＰ）を備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、Ｃ１に記載の方法。
［Ｃ４］
前記ＭＰＤによって示される前記同期方法が、ＨＴＴＰを備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、Ｃ１に記載の方法。
［Ｃ５］
前記クロックを同期させることが、ＨＴＴＰ  ＨＥＡＤ要求を前記ＨＴＴＰサーバのうちの少なくとも１つに送ることと、前記ＨＴＴＰ  ＨＥＡＤ要求に応答して、前記ＨＴＴＰサーバのうちの少なくとも１つからのＨＴＴＰヘッダ内の日付情報を受信することとを備える、Ｃ４に記載の方法。
［Ｃ６］
前記クロックを同期させることが、ＨＴＴＰ  ＧＥＴ要求を前記ＨＴＴＰサーバのうちの少なくとも１つに送ることと、前記ＨＴＴＰ  ＧＥＴ要求に応答して、ネットワークタイムプロトコル（ＮＴＰ）および拡張マークアップ言語（ＸＭＬ）および国際標準化機構（ＩＳＯ）時刻コードのうちの１つに従ってフォーマットされた、よくフォーマットされたタイムスタンプ値を受信することとを備える、Ｃ４に記載の方法。
［Ｃ７］
前記ＭＰＤが、前記クライアントデバイスが第１の時刻に前記メディアコンテンツのセグメントを取り出すべきであり、別個のクライアントデバイスが前記第１の時刻とは異なる第２の時刻に前記セグメントを取り出すべきであることを示すデータを含み、データを要求することが、前記第１の時刻にまたは前記第１の時刻の後に前記セグメントを要求することを備える、Ｃ１に記載の方法。
［Ｃ８］
メディアデータのストリーミングについての情報を受信するためのクライアントデバイスであって、
クロックと、
メディアコンテンツのメディアプレゼンテーション記述（ＭＰＤ）を受信することと、ここにおいて、前記ＭＰＤは、前記クライアントデバイスがソースデバイスからの前記メディアコンテンツのデータを取り出すことができる掛け時計時刻を示すデータを含む、および、ここにおいて、前記データは、前記クライアントデバイスが前記掛け時計時刻を前記クロックと同期させるべきである同期方法を示す、前記ＭＰＤによって示される前記方法を使用して、前記クロックを前記掛け時計時刻と同期させることと、前記同期したクロックを使用して、前記ソースデバイスからの前記メディアコンテンツのデータを要求することとを行うように構成された１つまたは複数のプロセッサとを備えるクライアントデバイス。
［Ｃ９］
前記ＭＰＤによって示される前記同期方法が、ネットワークタイムプロトコル（ＮＴＰ）を備え、前記ＭＰＤが、１つまたは複数のＮＴＰサーバのネットワークアドレスを示すデータを含み、前記クロックを同期させるために、前記１つまたは複数のプロセッサが、前記ＮＴＰサーバのうちの少なくとも１つからの時刻を要求するように構成される、Ｃ８に記載のクライアントデバイス。
［Ｃ１０］
前記ＭＰＤによって示される前記同期方法が、ＨＴＴＰタイムプロトコル（ＨＴＰ）を備え、前記ＭＰＤが、１つまたは複数のＨＴＴＰサーバのネットワークアドレスを示すデータを含み、前記クロックを同期させるために、前記１つまたは複数のプロセッサが、前記ＨＴＴＰサーバのうちの少なくとも１つからの時刻を要求するように構成される、Ｃ８に記載のクライアントデバイス。
［Ｃ１１］
前記ＭＰＤによって示される前記同期方法が、ＨＴＴＰを備え、前記ＭＰＤが、１つまたは複数のＨＴＴＰサーバのネットワークアドレスを示すデータを含み、前記クロックを同期させるために、前記１つまたは複数のプロセッサが、前記ＨＴＴＰサーバのうちの少なくとも１つからの時刻を要求するように構成される、Ｃ８に記載のクライアントデバイス。
［Ｃ１２］
前記クロックを同期させるために、前記１つまたは複数のプロセッサが、ＨＴＴＰ  ＨＥＡＤ要求を前記ＨＴＴＰサーバのうちの少なくとも１つに送り、前記ＨＴＴＰ  ＨＥＡＤ要求に応答して、前記ＨＴＴＰサーバのうちの少なくとも１つからのＨＴＴＰヘッダ内の日付情報を受信するように構成される、Ｃ１１に記載のクライアントデバイス。
［Ｃ１３］
前記クロックを同期させるために、前記１つまたは複数のプロセッサが、ＨＴＴＰ  ＧＥＴ要求を前記ＨＴＴＰサーバのうちの少なくとも１つに送り、前記ＨＴＴＰ  ＧＥＴ要求に応答して、ネットワークタイムプロトコル（ＮＴＰ）および拡張マークアップ言語（ＸＭＬ）のうちの１つに従ってフォーマットされた、よくフォーマットされたタイムスタンプ値を受信するように構成される、Ｃ１１に記載のクライアントデバイス。
［Ｃ１４］
前記ＭＰＤが、前記クライアントデバイスが第１の時刻に前記メディアコンテンツのセグメントを取り出すべきであり、別個のクライアントデバイスが前記第１の時刻とは異なる第２の時刻に前記セグメントを取り出すべきであることを示すデータを含み、前記１つまたは複数のプロセッサが、前記第１の時刻にまたは前記第１の時刻の後に前記セグメントを要求するように構成される、Ｃ８に記載のクライアントデバイス。
［Ｃ１５］
実行されると、クライアントデバイスのプロセッサに、
メディアコンテンツのメディアプレゼンテーション記述（ＭＰＤ）を受信することと、ここにおいて、前記ＭＰＤは、前記クライアントデバイスがソースデバイスからの前記メディアコンテンツのデータを取り出すことができる掛け時計時刻を示すデータを含む、および、ここにおいて、前記データは、前記クライアントデバイスが前記掛け時計時刻を前記クライアントデバイスのクロックと同期させるべきである同期方法を示す、
前記ＭＰＤによって示される前記方法を使用して、前記クライアントデバイスの前記クロックを前記掛け時計時刻と同期させることと、
前記同期したクロックを使用して、前記ソースデバイスからの前記メディアコンテンツのデータを要求することとを行わせる命令を記憶したコンピュータ可読記憶媒体。
［Ｃ１６］
前記ＭＰＤによって示される前記同期方法が、ネットワークタイムプロトコル（ＮＴＰ）を備え、前記ＭＰＤが、１つまたは複数のＮＴＰサーバのネットワークアドレスを示すデータを含み、前記クロックを同期させることが、前記ＮＴＰサーバのうちの少なくとも１つからの時刻を要求することを備える、Ｃ１５に記載のコンピュータ可読記憶媒体。
［Ｃ１７］
前記ＭＰＤによって示される前記同期方法が、ＨＴＴＰタイムプロトコル（ＨＴＰ）を備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、Ｃ１５に記載のコンピュータ可読記憶媒体。
［Ｃ１８］
前記ＭＰＤによって示される前記同期方法が、ＨＴＴＰを備え、前記ＭＰＤが、１つまたは複数のＨＴＴＰサーバのネットワークアドレスを示すデータを含み、前記クロックを同期させることが、前記ＨＴＴＰサーバのうちの少なくとも１つからの時刻を要求することを備える、Ｃ１５に記載のコンピュータ可読記憶媒体。
［Ｃ１９］
前記クロックを同期させることが、ＨＴＴＰ  ＨＥＡＤ要求を前記ＨＴＴＰサーバのうちの少なくとも１つに送ることと、前記ＨＴＴＰ  ＨＥＡＤ要求に応答して、前記ＨＴＴＰサーバのうちの少なくとも１つからのＨＴＴＰヘッダ内の日付情報を受信することとを備える、Ｃ１８に記載のコンピュータ可読記憶媒体。
［Ｃ２０］
前記クロックを同期させることが、ＨＴＴＰ  ＧＥＴ要求を前記ＨＴＴＰサーバのうちの少なくとも１つに送ることと、前記ＨＴＴＰ  ＧＥＴ要求に応答して、ネットワークタイムプロトコル（ＮＴＰ）および拡張マークアップ言語（ＸＭＬ）のうちの１つに従ってフォーマットされた、よくフォーマットされたタイムスタンプ値を受信することとを備える、Ｃ１８に記載のコンピュータ可読記憶媒体。
［Ｃ２１］
前記ＭＰＤが、前記クライアントデバイスが第１の時刻に前記メディアコンテンツのセグメントを取り出すべきであり、別個のクライアントデバイスが前記第１の時刻とは異なる第２の時刻に前記セグメントを取り出すべきであることを示すデータを含み、データを要求することが、前記第１の時刻にまたは前記第１の時刻の後に前記セグメントを要求することを備える、Ｃ１５に記載のコンピュータ可読記憶媒体。
［Ｃ２２］
メディアデータのストリーミングのための情報をシグナリングする方法であって、
メディアコンテンツのメディアプレゼンテーション記述（ＭＰＤ）のためのデータを生成することと、ここにおいて、前記ＭＰＤは、クライアントデバイスがソースデバイスからの前記メディアコンテンツのデータを取り出すことができる掛け時計時刻を示すデータを含む、および、ここにおいて、前記生成されたデータは、前記クライアントデバイスが前記掛け時計時刻を前記クライアントデバイスのクロックと同期させるべきである同期方法を示す、
前記ＭＰＤを出力することとを備える方法。
［Ｃ２３］
前記ＭＰＤによって示されるセグメントの掛け時計時刻に従って、前記メディアコンテンツの前記セグメントについての要求を受信することと、
前記要求に応答して、前記セグメントを前記クライアントデバイスに送ることとをさらに備える、Ｃ２２に記載の方法。
［Ｃ２４］
前記データを生成することが、前記同期方法がネットワークタイムプロトコル（ＮＴＰ）を備えることを示すために、および、前記クライアントデバイスの前記クロックを前記掛け時計時刻と同期させるためのデータを要求するための１つまたは複数のＮＴＰサーバのネットワークアドレスを示すために、前記データを生成することを備える、Ｃ２２に記載の方法。
［Ｃ２５］
前記データを生成することが、前記同期方法がＨＴＴＰタイミングプロトコル（ＨＴＰ）を備えることを示すために、および、前記クライアントデバイスの前記クロックを前記掛け時計時刻と同期させるためのデータを要求するための１つまたは複数のＨＴＴＰサーバのネットワークアドレスを示すために、前記データを生成することを備える、Ｃ２２に記載の方法。
［Ｃ２６］
前記データを生成することが、前記同期方法がＨＴＴＰを備えることを示すために、および、前記クライアントデバイスの前記クロックを前記掛け時計時刻と同期させるためのデータを要求するための１つまたは複数のＨＴＴＰサーバのネットワークアドレスを示すために前記データを生成することを備える、Ｃ２２に記載の方法。
［Ｃ２７］
前記クライアントデバイスが第１のクライアントデバイスを備え、前記ＭＰＤのための前記データを生成することが、前記第１のクライアントデバイスが第１の時刻に前記メディアコンテンツのセグメントを取り出すべきであり、第２のクライアントデバイスが前記第１の時刻とは異なる第２の時刻に前記セグメントを取り出すべきであることを前記データが示すような前記ＭＰＤのための前記データを生成することを備え、前記ＭＰＤを送ることが、前記ＭＰＤを前記第１のクライアントデバイスおよび前記第２のクライアントデバイスに送ることを備える、Ｃ２２に記載の方法。
［Ｃ２８］
第１の時刻にまたは前記第１の時刻の後に、第１のクライアントデバイスからの前記セグメントについての第１の要求を受信することと、
前記第１の要求に応答して、前記セグメントについてのデータを前記第１のクライアントデバイスに送ることと、
第２の時刻にまたは前記第２の時刻の後に、第２のクライアントデバイスからの前記セグメントについての第２の要求を受信することと、
前記第２の要求に応答して、前記セグメントについての前記データを前記第２のクライアントデバイスに送ることとをさらに備える、Ｃ２３に記載の方法。
［Ｃ２９］
前記データを生成することが、前記第１の時刻および前記第２の時刻についての特定の値を生成することを備える、Ｃ２８に記載の方法。
［Ｃ３０］
前記第１のクライアントデバイスの第１の優先順位と、前記第２のクライアントデバイスの第２の優先順位とを決定することをさらに備え、前記データを生成することが、前記第１の優先順位および前記第２の優先順位に基づいて、前記データを生成することを備える、Ｃ２８に記載の方法。